(57)【特許請求の範囲】
【請求項１】
相互に異なる通信網で動作する移動局間のパケットデータセッションを設定する方法であって、
一方の通信網を通じて発信移動局から着信移動局に、パケットデータ呼の接続を要求するための、前記着信移動局の固有の識別番号を含むページングメッセージを送信するステップと、
前記発信移動局と他方の通信網であるインターネットプロトコル（ＩＰ）網との間で、発信パケットデータサービングノード（ＰＤＳＮ）を介した第１のパケットデータベアラー接続を確立するステップと、
前記ページングメッセージに応答して、前記着信移動局と前記ＩＰ網との間で、着信パケットデータサービングノード（ＰＤＳＮ）を介した第２のパケットデータベアラー接続を確立するステップと、
前記発信基地局が、前記ＩＰ網に接続されたサーバへ、前記第１のパケットデータベアラー接続を介して、前記発信移動局の移動ＩＰアドレスと前記着信移動局の固有の識別番号とを送信するステップと、
前記着信基地局が、前記ＩＰ網に接続された前記サーバへ、前記第２のパケットデータベアラー接続を介して、前記着信移動局の移動ＩＰアドレスと前記着信移動局の固有の識別番号とを送信するステップと、
前記サーバが前記発信移動局と前記着信移動局の両方から前記着信移動局の固有の識別番号を含むメッセージを受信した場合に、前記サーバから前記発信移動局へ、前記第１のパケットデータベアラー接続を介して、前記着信移動局の前記移動ＩＰアドレスを含む第１の応答メッセージを送信すると共に、前記サーバから前記着信移動局へ、前記第２のパケットデータベアラー接続を介して、前記発信移動局の前記移動ＩＰアドレスを含む第２の応答メッセージを送信するステップと、
前記発信移動局及び前記着信移動局が、前記応答メッセージによって前記サーバから受信された前記移動ＩＰアドレスを利用して、前記発信移動局と前記着信移動局との間で、前記ＩＰ網を介したパケットデータセッションを設定するステップと
を具備することを特徴とする方法。
【請求項２】
前記サーバが、前記パケットデータセッションを設定するために、前記着信移動局の固有の識別番号を使用して、前記発信移動局と前記着信移動局のマッチングを実行する
ことを特徴とする請求項１に記載の方法。
【請求項３】
前記固有の識別番号が、電話番号を含むことを特徴とする請求項１または請求項２のいずれか一項に記載の方法。
【請求項４】
相互に異なる通信網で動作する発信移動局と着信移動局との間で、一方の通信網を通じて前記発信移動局から前記着信移動局に、パケットデータ呼の接続を要求するための、前記着信移動局の固有の識別番号を含むページングメッセージが送信された場合に、前記発信移動局と前記着信移動局との間のパケットデータセッションを他方の通信網であるインターネットプロトコル（ＩＰ）網を介して設定することができるサーバであって、
発信パケットデータサービングノード（ＰＤＳＮ）による前記発信移動局と前記ＩＰ網との間の第１のパケットデータベアラー接続を介して、前記ページングメッセージを送信した前記発信基地局から、前記発信移動局の移動ＩＰアドレスと前記着信移動局の固有の識別番号とを受信し、
着信パケットデータサービングノード（ＰＤＳＮ）による前記着信移動局と前記ＩＰ網との間の第２のパケットデータベアラー接続を介して、前記ページングメッセージに応答した前記着信基地局から、前記着信移動局の移動ＩＰアドレスと前記着信移動局の固有の識別番号とを受信し、
前記発信移動局と前記着信移動局の両方から前記着信移動局の固有の識別番号を含むメッセージを受信した場合に、前記発信移動局へ、前記第１のパケットデータベアラー接続を介して、前記着信移動局の前記移動ＩＰアドレスを含む第１の応答メッセージを送信すると共に、前記着信移動局へ、前記第２のパケットデータベアラー接続を介して、前記発信移動局の前記移動ＩＰアドレスを含む第２の応答メッセージを送信し、
前記応答メッセージによって送信された前記移動ＩＰアドレスを利用する、前記ＩＰ網を介した前記発信移動局と前記着信移動局との間のパケットデータセッションを設定する
ことを特徴とするサーバ。
【請求項５】
前記パケットデータセッションを設定するために、前記着信移動局の固有の識別番号を使用して、前記発信移動局と前記着信移動局のマッチングを実行する
ことを特徴とする請求項４に記載のサーバ。
【請求項６】
前記固有の識別番号が、電話番号を含むことを特徴とする請求項４または請求項５のいずれか一項に記載のサーバ。
【請求項７】
相互に異なる通信網で動作する発信移動局と着信移動局との間で、一方の通信網を通じて前記発信移動局から前記着信移動局に、パケットデータ呼の接続を要求するための、前記着信移動局の固有の識別番号を含むページングメッセージが送信された場合に、サーバが、前記発信移動局と前記着信移動局との間のパケットデータセッションを他方の通信網であるインターネットプロトコル（ＩＰ）網を介して設定するための方法であって、
発信パケットデータサービングノード（ＰＤＳＮ）による前記発信移動局と前記ＩＰ網との間の第１のパケットデータベアラー接続を介して、前記ページングメッセージを送信した前記発信基地局から、前記発信移動局の移動ＩＰアドレスと前記着信移動局の固有の識別番号とを受信するステップと、
着信パケットデータサービングノード（ＰＤＳＮ）による前記着信移動局と前記ＩＰ網との間の第２のパケットデータベアラー接続を介して、前記ページングメッセージに応答した前記着信基地局から、前記着信移動局の移動ＩＰアドレスと前記着信移動局の固有の識別番号とを受信するステップと、
前記発信移動局と前記着信移動局の両方から前記着信移動局の固有の識別番号を含むメッセージを受信した場合に、前記発信移動局へ、前記第１のパケットデータベアラー接続を介して、前記着信移動局の前記移動ＩＰアドレスを含む第１の応答メッセージを送信すると共に、前記着信移動局へ、前記第２のパケットデータベアラー接続を介して、前記発信移動局の前記移動ＩＰアドレスを含む第２の応答メッセージを送信するステップと、
前記応答メッセージによって送信された前記移動ＩＰアドレスを利用する、前記ＩＰ網を介した前記発信移動局と前記着信移動局との間のパケットデータセッションを設定するステップと
を具備することを特徴とする方法。
【請求項８】
前記サーバが、前記パケットデータセッションを設定するために、前記着信移動局の固有の識別番号を使用して、前記発信移動局と前記着信移動局のマッチングを実行する
ことを特徴とする請求項７に記載の方法。
【請求項９】
前記固有の識別番号が、電話番号を含むことを特徴とする請求項７または請求項８のいずれか一項に記載の方法。
【請求項１０】
発信移動局が、相互に異なる通信網で動作する着信移動局との間でパケットデータセッションを設定する方法であって、
一方の通信網を通じて前記着信移動局に、パケットデータ呼の接続を要求するための、前記着信移動局の固有の識別番号を含むページングメッセージを送信するステップと、
他方の通信網であるインターネットプロトコル（ＩＰ）網との間で、発信パケットデータサービングノード（ＰＤＳＮ）を介したパケットデータベアラー接続を確立するステップと、
前記発信移動局と前記ページングメッセージに応答した前記着信移動局の両方から前記着信移動局の固有の識別番号を含むメッセージを受信した前記ＩＰ網に接続されたサーバから、前記パケットデータベアラー接続を介して、前記着信移動局の前記移動ＩＰアドレスを含む応答メッセージを受信するステップと、
前記応答メッセージによって前記サーバから受信された前記着信移動局の前記移動ＩＰアドレスを利用して、前記着信移動局との間で、前記ＩＰ網を介したパケットデータセッションを設定するステップと
を具備し、
前記サーバから受信された前記移動ＩＰアドレスは、前記着信移動局が通信する着信基地局から前記サーバへ、前記着信移動局の固有の識別番号と共に送信された前記着信移動局の移動ＩＰアドレスである
ことを特徴とする方法。
【請求項１１】
前記サーバが、前記パケットデータセッションを設定するために、前記着信移動局の固有の識別番号を使用して、前記発信移動局と前記着信移動局のマッチングを実行する
ことを特徴とする請求項１０に記載の方法。
【請求項１２】
前記固有の識別番号が、電話番号を含むことを特徴とする請求項１０または請求項１１のいずれか一項に記載の方法。
【請求項１３】
着信移動局が、相互に異なる通信網で動作する発信移動局との間でパケットデータセッションを設定する方法であって、
一方の通信網を通じて前記発信移動局から、パケットデータ呼の接続を要求するための、前記着信移動局の固有の識別番号を含むページングメッセージを受信するステップと、
前記ページングメッセージに応答して、他方の通信網であるインターネットプロトコル（ＩＰ）網との間で、着信パケットデータサービングノード（ＰＤＳＮ）を介したパケットデータベアラー接続を確立するステップと、
前記ページングメッセージを送信した前記発信移動局と前記着信移動局の両方から前記着信移動局の固有の識別番号を含むメッセージを受信した前記ＩＰ網に接続されたサーバから、前記パケットデータベアラー接続を介して、前記発信移動局の前記移動ＩＰアドレスを含む応答メッセージを受信するステップと、
前記応答メッセージによって前記サーバから受信された前記発信移動局の前記移動ＩＰアドレスを利用して、前記発信移動局との間で、前記ＩＰ網を介したパケットデータセッションを設定するステップと
を具備し、
前記サーバから受信された前記移動ＩＰアドレスは、前記発信移動局が通信する発信基地局から前記サーバへ、前記着信移動局の固有の識別番号と共に送信された前記発信移動局の移動ＩＰアドレスである
ことを特徴とする方法。
【請求項１４】
前記サーバが、前記パケットデータセッションを設定するために、前記着信移動局の固有の識別番号を使用して、前記発信移動局と前記着信移動局のマッチングを実行する
ことを特徴とする請求項１３に記載の方法。
【請求項１５】
前記固有の識別番号が、電話番号を含むことを特徴とする請求項１３または請求項１４のいずれか一項に記載の方法。
【発明の詳細な説明】
【技術分野】
【０００１】
本発明は、無線通信システムに関し、特に、無線網において移動局間のパケットデータ呼を設定するシステム及びその方法に関する。
【背景技術】
【０００２】
無線通信システムは、社会のどこにでもある。ビジネス及び顧客は、広範囲な携帯電話、ページャー、個人通信サービス（personal communication services；ＰＣＳ）システム、及び固定式無線アクセス装置（例えば、セルラー性能を有するベンディングマシン）を含む非常に多様な移動無線端末機を使用する。
【０００３】
無線サービスプロバイダーは、移動端末機に対して、継続して新たな市場を開拓するために努力しており、無線装置及びサービスをさらに低いコスト及びさらなる信頼性があるように提供することによって、現存の市場を拡張させていく試みを続けている。移動端末機のコストは、ほとんどすべての人々が購入することができるまで低減したが、ユーザ、すなわち、加入者にとっては、総コストのうちの僅か小さな部分に過ぎない。新規の顧客を継続して引き付けるために、無線サービスプロバイダーは、新規のサービス、特に、例えば、ユーザがインターネットブラウジング及びＥメールの送受信を可能にするディジタルデータサービスを実現している。
【０００４】
加入者は、無線網において移動局間の高速のアプリケーション（application）を用いることに深い関心を有している。このような大部分の高速アプリケーション（例えば、ビデオフォン）は、ストリーミング（streaming）データアプリケーションを支援する無線接続ネックワーク（Radio Access Network；ＲＡＮ）を必要とする。上記ストリーミングデータアプリケーションは、一定の帯域幅を介して送信されなければならず、このとき、遅延（delay）がほとんどなく、ジッタ（jitter）レベルも低い状態に保持されなければならない。しかしながら、ＣＤＭＡ２０００ＲＡＮのような現在の無線網では、ストリーミングデータアプリケーションを支援する場合に、幾つかの問題点を頻繁に発生させている。例えば、基地局（ＢＳ）と移動局（ＭＳ）との間のパケットデータを送信する際に、上記基地局（Base Station；ＢＳ）と上記移動局（Mobile Station；ＭＳ）との間の無線インターフェースと上記移動局（ＭＳ）とパケットデータサービングノード（Packet Data Service Node；ＰＤＳＮ）との間のインターフェースとを含むネックワーク内の多くの地点で遅延及びジッタが発生されている。
【０００５】
上記遅延及びジッタは、ストリーミングデータがＰＤＳＮのような無線接続ネットワーク（radio access network；ＲＡＮ）の基幹施設（infrastructure）を通過せず、移動局間でさらに直接的に送信されることができる場合に、最小化されることができる。しかしながら、よく知られているＲＡＮシグナリングメッセージは、ＴＩＡ−２００１−Ｃ標準（“Interoperability Specification for cdma2000 Access Network Interfaces”，June 2003）及びその他の標準に規定されており、直接的な移動局間（ＭＳ−ＭＳ）のパケットデータ呼を提供していない。上記ＴＩＡ−２００１−Ｃ標準は、移動発信された最初のパケットデータ呼のみを考慮している。移動局で着信する移動呼は、現在の標準では、可能ではない。
【０００６】
米国特許出願第２００２００７７０９６（以下、“Ｊｉｎ出願”と呼ぶ）では、同一の１つの基地局が２つの移動局にサービスを提供するという条件下で、移動局間のデータ呼を提供するための方法を開示している。上記ＪＩＮアプリケーションに開示された方法は、上記基地局と上記パケットデータサービングノードとの間の接続を要求しない移動局間のパケットデータ呼を設定する。しかしながら、記載されたように、上記移動局が１つの基地局によりサービスされるセル（cell）内に位置しなければならない。このような状況は、１つの基地局のみを使用する小規模の無線網（例えば、ホームネットワーク又は小規模の事務所用ネットワーク）で可能である。しかしながら、無線網オペレーターが、多くの基地局を有する無線接続ネットワークを構成する場合に、ここには、厳しい制限がある。相互に遠く離れている加入者は、異なる基地局からサービスを受けており、上記パケットデータサービングノード及び広域パケットデータネットワークを通過せずには、移動局間のストリーミングデータアプリケーションに関与することができない。
【０００７】
Ｊｉｎ出願の短所が、２００３年１０月２８日出願された米国特許出願第１０／６９５，５９５号の“System And Method For Performing Handoffs Of Mobile Station-to-Mobile Station Packet Data Calls In A Wireless Network”という題名にて開示されており、２００３年１０月２８日出願された米国特許出願第１０／６９５，２３２号の題名“System And Method For Establishing Mobile Station-To-Mobile Station Packet Data Calls Directly Between Base Station Of A Wireless Network”に開示された装置及び方法によって部分的に克服される。米国特許出願第１０／６９５，５９５号及び第１０／６９５，２３２号は、相互に異なる基地局が同一の移動電話交換局によって支援されるという条件下で、上記両基地局によって支援される２つの移動局のために、移動局間（ＭＳ−ＭＳ）のパケットデータ呼を設定してハンドオフを実行することができる無線網基盤の構造（Infrastructure）及び移動局を開示する。ＪＩＮ出願と比較すると、米国特許出願第１０／６９５，５９５号及び第１０／６９５，２３２号に開示されたシステム及び方法は、移動局間（ＭＳ−ＭＳ）のパケットデータ呼を直接的に設定することができる地理的な面積を増加させる。それにもかかわらず、米国特許出願第１０／６９５，５９５号及び第１０／６９５，２３２号に開示されたシステム及び方法は、第１の無線網で動作する（すなわち、第１の移動電話交換局で動作する）発信移動局と第２の無線網で動作する（すなわち、第２の移動電話交換局で動作する）着信移動局との間に、ＭＳ−ＭＳパケットデータ呼を設定することができない。
【０００８】
従って、相互に異なる無線網における移動局間（ＭＳ−ＭＳ）のパケットデータ接続を提供する装置及び方法を必要とする。特に、第１の移動電話交換局を介して動作する発信移動局から第２の移動電話交換局を介して動作する着信移動局への移動局間のパケットデータセッションを設定する装置及び方法を必要とする。
【非特許文献１】ＴＩＡ−２００１−Ｃ標準（“Interoperability Specification for cdma2000 Access Network Interfaces”，June 2003）
【発明の開示】
【発明が解決しようとする課題】
【０００９】
上記背景に鑑みて、本発明の目的は、相互に異なる無線網における移動局間（ＭＳ−ＭＳ）のパケットデータ接続を提供する装置及び方法を提供することにある。
【００１０】
上述した従来技術の問題点を解決するために、本発明の主な目的は、通信システムで使用し、第１の無線網で動作する発信移動局（ＭＳ）から第２の無線網で動作する着信移動局（ＭＳ）にパケットデータセッションを設定する装置及び方法を提供することにある。
【課題を解決するための手段】
【００１１】
このような目的を達成するために、本発明の１つの実施形態によれば、相互に異なる無線網で動作する移動局間のパケットデータセッションを設定する方法は、発信移動局からのパケットデータの接続要求に従って、発信基地局から発信移動電話交換局へ着信移動局の固有の識別番号を送信するステップと、上記発信移動電話交換局から交換電話ネットワークを介して上記着信移動電話交換局へ上記着信移動局の固有の識別番号を含むメッセージを送信するステップと、上記着信移動電話交換局が着信基地局を介して上記発信移動局からパケットデータセッションの設定要求があったことを上記着信移動局へ通知し、上記着信移動局の固有の識別番号を含む呼要求メッセージを送信するステップとを具備することを特徴とする。
【００１２】
本発明の他の実施形態によれば、上記方法は、上記発信基地局から上記第１の無線網の発信パケットデータサービングノード（ＰＤＳＮ）を介して、ＩＰ網に第１のパケットデータベアラー接続を設定するステップをさらに具備することを特徴とする。
【００１３】
本発明のまた他の実施形態によれば、上記方法は、上記発信基地局から上記ＩＰ網に接続されたサーバへ上記第１のパケットデータベアラー接続を介して、上記発信移動局の移動ＩＰアドレスを送信するステップをさらに具備することを特徴とする。
【００１４】
本発明のさらなる実施形態によれば、上記方法は、上記発信基地局から上記ＩＰ網に接続された上記サーバへ上記第１のパケットデータベアラー接続を介して、上記着信移動局の電話番号を送信するステップをさらに具備することを特徴とする。
【００１５】
本発明のさらなる実施形態によれば、上記方法は、上記着信基地局から上記第２の無線網の着信パケットデータサービングノード（ＰＤＳＮ）を介して、上記ＩＰ網に第２のパケットデータベアラー接続を設定するステップをさらに具備することを特徴とする。
【００１６】
本発明のさらなる実施形態によれば、上記方法は、上記着信基地局から上記ＩＰ網に接続された上記サーバへ上記第２のパケットデータベアラー接続を介して、上記着信移動局の移動ＩＰアドレスを送信するステップをさらに具備することを特徴とする。
【００１７】
本発明のさらなる実施形態によれば、上記方法は、上記着信基地局から上記ＩＰ網に接続された上記サーバへ上記第２のパケットデータベアラー接続を介して、上記着信移動局の電話番号を送信するステップをさらに具備することを特徴とする。
【００１８】
本発明のさらなる実施形態によれば、上記方法は、上記サーバから上記発信移動局へ上記第１のパケットデータベアラー接続を介して、上記着信移動局の上記移動ＩＰアドレスを含む第１の応答メッセージを送信するステップをさらに具備することを特徴とする。
【００１９】
本発明のさらなる実施形態によれば、上記方法は、上記サーバから上記着信移動局へ上記第２のパケットデータベアラー接続を介して、上記発信移動局の上記移動ＩＰアドレスを含む第２の応答メッセージを送信するステップをさらに具備することを特徴とする。
【００２０】
本発明のさらなる実施形態によれば、上記発信移動局及び上記着信移動局が、上記ＩＰ網を介して、上記発信移動局と上記着信移動局との間に上記パケットデータセッションを設定するために、上記サーバから受信された上記移動ＩＰアドレスを使用することを特徴とする。
【発明の効果】
【００２１】
本発明は、２つのＣＤＭＡ２０００無線網がストリーミングデータフロー（例えば、ビデオフォン呼）を要求する２つの移動局を速く接続することができる、という利点がある。
【発明を実施するための最良の形態】
【００２２】
下記に詳述される内容は、当業者の発明の理解を助けるためのもので、本発明の幾つの特徴を概略的に説明する。本明細書では、付加的な特徴が後述される。当業者ならば、開示された概念及び特定の実施形態に基づいて、本発明の開示目的と同一の目的を遂行するための他の構造を容易に変形し、又は設計することができる。また、当業者ならば、そのような等価の構造が本発明の一番広い形態で、本発明の思想及び範囲から外れないことを明確に認識しなければならない。
【００２３】
本発明を詳細に説明するに先立って、本明細書の全般にわたって使用される特定の単語及び語句の定義を開示することが望ましい。“含む（include）”及び “備える（comprise）”という語句だけではなく、その派生語（derivatives thereof）は、限定ではなく、含みを意味する。“又は（or）”という用語は、“及び／又は（and/or）”の意味を包括する。“関連した（associated with）”及び“それと関連した（associated therewith）”という語句だけではなく、その派生語句は、“含む（include）”、“含まれる（be included within）”、“相互に連結する（interconnect with）”、“包含する（contain）”、“包含される（be contained within）”、“連結する（connect to or with）”、“結合する（couple to or with）”、“疎通する（be communicable with）”、“協力する（cooperate with）”、“挿入する（interleave）”、“並列する（juxtapose）”、“近接する（be proximate to）”、“接する（be bound to or with）”、“有する（have）”、及び“特性を有する（have a property of）”などを意味することができる。制御器は、ハードウェア、ファームウエア、ソフトウェア、又は、それらうちの２つ以上の組合せで実現されることができる。ある特定の制御器に関連した機能性は、ローカルでも遠隔でも、集中するか又は分散することができることに留意しなければならない。特定の単語及び語句に関するこのような定義は、本明細書の全般にわたって規定されるもので、当該技術分野における通常の知識を有する者は、大部分の場合ではなくても、多くの場合において、このような定義がそのように定義された単語及び語句の先行使用にはもちろん、今後の使用にも適用されるものであることを理解すべきである。
【００２４】
本発明及びその長所をさらに完全に理解するためには、以後の説明及び添付図面を参照する。添付図面では、同一の図面符号が類似した対象物を示している。
【００２５】
本明細書において、本発明の原理を説明するのに使用された下記に説明する図１〜図３及び多様な実施形態は、例として挙げられたのみであり、本発明の範囲を限定するものとして解釈されてはならない。当該技術分野における通常の知識を有する者であれば、本発明の原理が適切に配列された任意の無線通信網で実現されることができることが分かる。
【００２６】
図１は、本発明の望ましい一実施形態による相互に異なる移動電話交換局（mobile switching center）により支援される移動局間の（ＭＳ−ＭＳ）パケットデータ接続を設定する通信システムで使用されることができる無線網１００を示す。上記通信システムは、図２で詳細に説明したように、無線網１００と類似した２つの無線網を要求する。
【００２７】
無線網１００は、複数のセルサイト１２１、１２２、１２３を具備し、各セルサイトは、第１の基地局１０１、第２の基地局１０２、又は第３の基地局１０３のうちの１つを含む。基地局１０１〜１０３は、ＩＳ−２０００−Ｃ標準（すなわち、ＣＤＭＡ２０００のリリース（Release）Ｃ）に従う符号分割多重接続（ＣＤＭＡ）チャンネルを介して複数の移動局（ＭＳ）１１１〜１１４と通信する。移動局１１１〜１１４は、無線リンクを介して上記基地局と通信することができる従来の携帯無線電話、ＰＣＳハンドセット装置、ＰＤＡ、携帯コンピュータ、及び遠隔測定装置などを含む任意の適合した無線装置になってもよい。
【００２８】
本発明は、移動装置に限定されない。すなわち、固定無線端末機を含む他のタイプの無線接続端末機が使用されてもよい。以下の説明では、これを簡素化するために、移動局のみを示して説明するものとする。しかしながら、特許請求の範囲及び以下の説明に、“移動局”という用語を使用することは、厳密な意味の移動装置、例えば、携帯電話、無線ラップトップ、及び固定無線端末機、例えば、無線性能を有するモニタリング装置のすべてを包括するものであることに留意しなければならない。
【００２９】
点線は、基地局１０１〜１０３が位置したセルサイト１２１〜１２３の概略的な境界を示している。上記セルサイトがほぼ円形で示されることは、ただ、例示及び説明の目的のためである。一般的に、上記セルサイトは、選択されたセル構成、自然、及び人工障害物に基づいて、他の不規則な形状を有することもあることを容易に理解することができる。
【００３０】
当該技術分野で周知のように、各セルサイト１２１〜１２３は、複数のセクター（図示せず）から構成されるが、基地局に結合された指向性アンテナがそれぞれのセクターを照らしている。図１の実施形態は、基地局がセルの中心にあることを示している。他の実施形態では、指向性アンテナがセクターのコーナーに位置する。本発明のシステムは、ある特定のセル構成に限定されない。
【００３１】
本発明の一実施形態において、基地局１０１、基地局１０２、及び基地局１０３は、１つの基地局制御器（base station controller；ＢＳＣ）と少なくとも１つの基地局送受信器サブシステム（base transceiver subsystem；ＢＴＳ）とを備える。基地局制御器及び基地局送受信器サブシステムは、当該技術分野でよく知られている。基地局制御器は、無線通信ネットワーク内の特定のセルのために、基地局送受信器サブシステムを含む無線通信資源を管理する装置である。基地局送受信器サブシステムは、それぞれのセルサイトに位置した無線送受信器、アンテナ、及び他の電気装備を含む。このような装備は、空調ユニット、加熱ユニット、電源、電話線インターフェース、無線送信器、及び無線受信器を含むことができる。本発明の動作を簡単にかつ明瞭に説明するために、それぞれのセルサイト１２１、１２２、１２３内の基地局送受信器サブシステム及びそれぞれの基地局送受信器サブシステムに関連した基地局制御器を集合的に基地局１０１、基地局１０２、及び基地局１０３”で表現する。
【００３２】
基地局１０１、基地局１０２、及び基地局１０３は、これら相互間と公衆交換電話網（public switched telephone network；ＰＳＴＮ）（図示せず）との間で、通信ライン１３１及び移動電話交換局（mobile switching center；ＭＳＣ）１４０を介して音声信号及びデータ信号を転送する。また、基地局１０１、基地局１０２、及び基地局１０３は、通信ライン１３１及びパケットデータサーバノード（packet data server node；ＰＤＳＮ）１５０を介してパケットデータのようなデータ信号をインターネット（図示せず）で転送する。パケット制御機能（Packet control function；ＰＣＦ）ユニット１９０は、基地局１０１〜１０３とＰＤＳＮ１５０との間のデータパケットのフローを制御する。ＰＣＦユニット１９０は、ＰＤＳＮ１５０の一部として、又は、ＭＳＣ１４０の一部として、又は、図１に示したように、ＰＤＳＮ１５０と通信する独立型装置（stand-alone device）として実現されることができる。また、通信ライン１３１は、ＭＳＣ１４０と基地局１０１、基地局１０２、及び基地局１０３との間で、音声回路及びデータ回路の接続を設定するのに使用される、ＭＳＣ１４０と基地局１０１、１０２、１０３との間の制御信号を転送するための接続経路を提供する。
【００３３】
通信ライン１３１は、Ｔ１ライン、Ｔ３ライン、光ファイバリンク、又は、ある他の類型のデータ接続を含む任意の適切な接続手段になってもよい。通信ライン１３１上の接続は、アナログ音声信号又はディジタル音声信号をパルスコード変調（pulse code modulated；ＰＣＭ）フォーマット、インターネットプロトコル（Internet Protocol；ＩＰ）フォーマット、及び非同期転送モード（asynchronous transfer mode；ＡＴＭ）フォーマットなどで送信することができる。また、本発明の実施形態に従って、通信ライン１３１は、基地局１０１、基地局１０２、及び基地局１０３を含む無線網１００の基地局間のパケットデータを送信するインターネットプロトコル（ＩＰ）接続を提供する。従って、通信ライン１３１は、パケットデータサービスノード１５０を使用しなくても基地局間の直接的なＩＰの接続を提供する近距離接続通信網（Local Area Network；ＬＡＮ）を備える。
【００３４】
ＭＳＣ１４０は、無線網内に位置した加入者装置とＰＳＴＮ又はインターネットのような外部網との間のサービス及び調整を提供する交換装置である。ＭＳＣ１４０は、当該技術分野でよく知られている。本発明の一部の実施形態では、通信ライン１３１がいくつかの相互に異なるデータリンクから構成されることができるが、その場合に、各データリンクは、基地局１０１、基地局１０２、及び基地局１０３のうちの１つをＭＳＣ１４０に結合させる。
【００３５】
代表的な無線網１００では、移動局１１１がセルサイト１２１内に位置し、基地局１０１と通信する。また、移動局１１３は、セルサイト１２２内に位置し、基地局１０２と通信する。移動局１１４は、セルサイト１２３内に位置し、基地局１０３と通信する。そして、移動局１１２は、セルサイト１２３のエッジに近接して位置し、矢印方向で示すように、セルサイト１２３に向けて移動している。特定の時点で、移動局１１２がセルサイト１２１を離脱して、セルサイト１２３へ移動するにつれて、ハンドオフ（hand−off）が発生する。
【００３６】
本発明の実施形態に従うと、無線網１００内で動作する移動局は、ストリーミングデータアプリケーション（例えば、ビデオフォン）を実行させることができる。このような高速のアプリケーションを容易に実現するために、本発明は、第１の無線網にある第１の移動電話交換局を介して動作する第１の移動局（すなわち、発信移動局）が第２の無線網にある第２の移動電話交換局を介して動作する第２の移動局（すなわち、着信移動局）において着信されるパケットデータセッション（packet data session）を発信することができる手段を提供する。このような機能は、従来のシステムには存在しなかった。
【００３７】
図２は、本発明の望ましい一実施形態による移動局間のパケットデータ接続が２つの無線網を横断して設定されることができる通信システム２００を示す。通信システム２００は、発信移動局（ＭＳ）２０１と着信移動局（ＭＳ）２０２との移動局間のパケットデータ接続（packet data connection）を提供する。通信システム２００は、発信移動局２０１から最初のパケットデータ接続の要求を受信する第１の無線網（すなわち、発信網）から選択された一部を備える。上記発信無線網は、発信基地局（ＢＳ−Ｏ）２１０と、発信パケットデータサービングノード（ＰＤＳＮ−Ｏ）２１２と、発信移動電話交換局（ＭＳＣ−Ｏ）２１４とから構成される。通信システム２００は、着信移動局（terminating MS）２０２で、パケットデータ接続を着信する第２の無線網から選択された一部をさらに備える。着信無線網は、着信基地局（ＢＳ−Ｔ）２２０と、着信パケットデータサービングノード（ＰＤＳＮ−Ｔ）２２２と、着信移動電話交換局（ＭＳＣ−Ｔ）２２４とから構成される。
【００３８】
最終的に、通信システム２００は、交換ネットワーク２３０と、サーバ２４０と、ＩＰ網２５０とを備える。本発明の一実施形態に従うと、交換網は、ＡＮＳＩ−４１互換網（ANSI-41-compatible network）であり、ＩＰ網２５０は、インターネット又はＷＡＮと類似するネットワークである。さらに詳細に説明すると、発信移動電話交換局２１４及び着信移動電話交換局２２４は、交換ネットワーク２３０を介して発信基地局２１０と着信基地局２２０との間の接続設定情報を最初に送信する。その後に、発信基地局２１０及び着信基地局２２０は、サーバ２４０を使用して、上記接続設定情報を交換し、発信パケットデータサービングノード２１２、ＩＰ網２５０、及び着信パケットデータサービングノード２２２を介してパケットデータセッションを設定する。
【００３９】
本発明は、次の事項を仮定する。
【００４０】
一番目に、サービスプロバイダー（service provider）は、移動局２０１と移動局２０２との間の情報交換を提供するサーバ２４０（又は、サーバ２４０に対するゲートウェイ）を保持する。
【００４１】
二番目に、ネットワークエンティティー（entity）は、ＴＩＡ−２０００−Ｄで定義されたＩＯＳ論理モデルで説明された通りであり、ＩＯＳシグナリング（IOS signaling）を活用する。このとき、若干の変形があることがある。
【００４２】
三番目に、上記移動局は、ＴＩＡ−２０００−Ｃで定義されたシグナリング（signaling）を使用する。このとき、若干の変形があることがある。
【００４３】
四番目に、移動局間（ＭＳ−ＭＳ）のパケットデータ接続呼に対する課金は、移動電話交換局（ＭＳＣ）２１４及び／又は移動電話交換局（ＭＳＣ）２２４上で遂行され、ただ、空中送信時のみを基準にして課金が遂行される。
【００４４】
五番目に、上記移動局間（ＭＳ−ＭＳ）のパケットデータ接続は、休止（dormant）状態にはならない（すなわち、移動局２０１及び移動局２０２は、呼が持続される間中、トラヒックチャンネル上に滞在する。）。
【００４５】
図３は、本発明の望ましい一実施形態による移動局間のパケットデータ呼の設定を示すフロー図である。図２及び図３は、本発明に従って移動局間のパケットデータセッションの設定を許容するシグナリングを示す。上記シグナリングは、周知のように、ＴＩＡ−２０００−Ｄ及びＴＩＡ−２０００−Ｃで定義されたメッセージに基づく。
【００４６】
発信移動局２０１のオペレーター（operator）は、発信移動局２０１のオペレーターと共に、パケットデータセッションを初期化する。発信移動局２０１のオペレーターは、発信移動局２０１のメニューを用いて、移動局間のパケットデータサービスオプションを選択して、着信移動局２０２の電話番号を入力する。上記入力された電話番号を用いて、発信移動局２０１は、基地局２１０へ、着信移動局２０２を呼び出すのに必要な制御信号を送信する。発信移動局２０１は、標準パケットデータサービス（Standard Packet Data Service）（service option ３３）として上記呼を発生させることができる。しかし、同様に発信移動局２０１は、これが移動局間のパケットデータ呼であることを示すために、着信移動局２０２の電話番号を含んでいる（ステップ３０５）。上記発信移動局からの呼要求に応じて、発信基地局２１０は、従来のパケットデータ呼設定手順のように、発信パケットデータサービングノード（ＰＤＳＮ）２１２とベアラー接続を設定する（ステップ３１０）。また、基地局２１０は、移動電話交換局２１４に呼接続を設定する。
【００４７】
次いで、発信移動電話交換局２１４は、着信移動局２０２が他の無線網にあるか否かを判断して（すなわち、ＭＳ２０２を探す）、上記ＡＮＳＩ−４１網を介して、呼要求メッセージ（paging request message）を着信移動電話交換局２２４へ送信する。上記呼要求メッセージを用いて、着信移動電話交換局２２４が着信移動局２０２を呼び出すようにする。着信移動電話交換局２２４は、着信データ呼を示すＡＮＳＩ−４１メッセージングを受信する。着信移動電話交換局２２４は、着信移動局２０２を呼び出し、着信基地局２２０を介して着信移動局２０２と呼接続を設定する。上記使用されたサービスオプションは、‘ＳＯ３３’（ステップ３１５）である。その後に、着信基地局２２０は、従来のパケットデータ呼設定のように、着信パケットデータサービングノード２２２とベアラー接続を設定する（ステップ３２０）。
【００４８】
このとき、第１のパケットデータベアラー接続は、発信移動局２０１からＩＰ網２５０までパケットデータサービングノード２１２を介して存在し、第２のパケットデータベアラー接続は、着信移動局２０２からＩＰ網２５０までパケットデータサービングノード２２２を介して存在する。発信側でパケットデータ接続（すなわち、発信移動局２０１と発信パケットデータサービングノード２１２との間のＰＰＰ接続）が設定されるとすぐに、発信移動局２０１は、発信移動局２０１の移動ＩＰアドレス及び着信移動局２０２（すなわち、着信側）の電話番号を示すメッセージをサーバ２４０へ送信する（ステップ３２５）。
【００４９】
上記パケットデータ接続（すなわち、着信移動局２０２と着信パケットデータサービングノード２２２との間のＰＰＰ接続）が着信側で設定されるとすぐに、着信移動局２０２は、着信移動局２０２の移動ＩＰアドレス及び着信移動局２０２（すなわち、着信側）の電話番号を示すメッセージをサーバ２４０へ送信する（ステップ３３０）。一度、サーバ２４０が両移動局から上記情報メッセージを受信すると、サーバ２４０は、相手移動局のＩＰアドレスを含む応答メッセージを各移動局へ送信する（ステップ３３５及び３４０）。サーバ２４０は、着信移動局２０２（すなわち、着信側）の電話番号を上記呼に対する共通識別子として使用する。サーバ２４０が決定された時間の後に上記２つのメッセージを受信しなかった場合に、サーバ２４０は、メッセージを受信した移動局へ接続の試みが失敗したことを通知することによって、呼解除を初期化する。正常的な呼解除は、設定されたメッセージを使用することによって開始される。
【００５０】
一度、各移動局がサーバ２４０からの応答メッセージを介して相手移動局のＩＰアドレスを受信すると、上記移動局は、リンク階層の接続（例えば、ＩＰ網２５０を介したＰＰＰトンネル）を設定することができるか、又は、アプリケーションメッセージの交換を直接的に開始する（ステップ３４５）。例えば、発信移動局２０１は、着信移動局２０２に対して、ＦＴＰセッションを要求することができるか、又は、データリンクを介してＭＳ−ＭＳビデオ呼を設定することができる。
【００５１】
呼ハンドオフは、ＴＩＡ−２０００−Ｄ及びＴＩＡ−２０００−Ｃに現在含まれたもののようなメッセージングを使用する。ＰＤＳＮ間のハンドオフ（inter-PDSN handoff）が発生する場合に、移動局は、その移動ＩＰアドレスが変わったことをサーバ２４０へ通知する必要がある。上記情報は、相手移動局へ伝達されることができ、上記パケットデータセッションは、持続されることができる。呼の解除は、既存のＣＤＭＡ２０００システムにおけるパケット呼の解除と同一のメッセージを使用し、ＴＩＡ−２０００−Ｄ及びＴＩＡ−２０００−Ｃに示される。
【００５２】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【００５３】
【図１】本発明の望ましい一実施形態による、相互に異なる移動電話交換局によって提供される移動局間のパケットデータ接続を設定することができる無線網を示す図である。
【図２】本発明の望ましい一実施形態による、２つの無線網間に移動局間のパケットデータ接続が設定されることができる通信システムを示す図である。
【図３】本発明の望ましい一実施形態による、移動局間のパケットデータセッションの設定を示すフロー図である。
【符号の説明】
【００５４】
１００    無線網
１２１、１２２、１２３    セルサイト
１０１    第１の基地局
１０２    第２の基地局
１０３    第３の基地局
１１１〜１１４    移動局（ＭＳ）
１３１    通信ライン
１４０    移動電話交換局（mobile switching center；ＭＳＣ）
１５０    パケットデータサーバノード（packet data server node；ＰＤＳＮ）
１９０    パケット制御機能（Packet control function；ＰＣＦ）ユニット
２００    通信システム
２０１    発信移動局（ＭＳ）
２０２    着信移動局（ＭＳ）
２１０    発信基地局（ＢＳ−Ｏ）
２１２    発信パケットデータサービングノード（ＰＤＳＮ−Ｏ）
２１４    発信移動電話交換局（ＭＳＣ−Ｏ）
２２０    着信基地局（ＢＳ−Ｔ）
２２２    着信パケットデータサービングノード（ＰＤＳＮ−Ｔ）
２２４    着信移動電話交換局（ＭＳＣ−Ｔ）
２３０    交換ネットワーク
２４０    サーバ
２５０    ＩＰ網
【図１】
0004584241.tif 000002
【図２】
0004584241.tif 000003
【図３】
0004584241.tif 000004